(57)【要約】【課題】着雪によるケーブルへの荷重負荷が抑制できるようにする。【解決手段】ケーブルカバーは、重力がかかる方向に対して６０°以下の角度の面のみから構成された外面を備えてケーブル１１０の外周を取り囲むカバー部１０１と、外面に形成された接触角が１５０°以上の撥水性を有する表面層１０２とを備える。また、本実施の形態において、ケーブルカバーは、カバー部１０１の内部に樹脂の発泡体からなる充填材１０３が充填され、中実構造とされている。【選択図】  図１
2013150384.tif 000002
【特許請求の範囲】
【請求項１】
重力がかかる方向に対して６０°以下の角度の面のみから構成された外面を備えてケーブルの外周を取り囲むカバー部と、
前記外面に形成された接触角が１５０°以上の撥水性を有する表面層と
を備えることを特徴とするケーブルカバー。
【請求項２】
請求項１記載のケーブルカバーにおいて、
前記カバー部の断面の重心より重力の方向に対して高い位置に前記ケーブルが配置されることを特徴とするケーブルカバー。
【発明の詳細な説明】
【技術分野】
【０００１】
本発明は、ケーブルを覆うケーブルカバーに関するものである。
【背景技術】
【０００２】
送電や通信サービスを提供するための基盤となる重要な産業基盤の設備として送電線や通信線などのケーブルがある。これらのケーブルは、一般には、地上に設けられた架空構造物である電柱に支持（架設）されている。このため、これらのケーブルは、天候の影響を受け、風雨に晒されることになる。ケーブルが受ける天候の影響の中には、着雪があり、着雪による重量の増加を原因とした様々な問題が発生している。着雪は、初期にはケーブルの頭頂部に発生し、この箇所を基準に、新たな着雪が重なることで、ケーブルに大きな荷重負荷をかけるようになる（非特許文献１参照）。
【０００３】
このような着雪によるケーブルに対する荷重負荷は、様々な問題を発生させる。例えば、着雪による重量増加で、微風でもケーブルが振り子のように大振れする現象がある。また、着雪が落下して重量負荷が低減したことによる反動で、ケーブルが大きく跳ね上がる現象がある。送電線の場合、これらはいずれも他の送電線との接触を招き、短絡事故を起こす原因となる。また、着雪は、ケーブルの落下や電柱の倒壊の原因ともなる。
【０００４】
着雪によるケーブルの落下を防ぐ技術として、ケーブルの被覆材に親水性材料、疎水性材料を用いる技術が期待されている。例えば、疎水性材料の中で撥水性を有するものは、水に対する濡れ性が低いことが知られており、例えば、接触角が１５０°の撥水性材料が実現されている（非特許文献２参照）。
【先行技術文献】
【非特許文献】
【０００５】
【非特許文献１】中村  行男  他、「ケーブル着雪特性に関する考察」、信学技報、ＯＦＴ２００６−５９，３１−３４頁、２００７年。
【非特許文献２】斎藤  博之  他、「着氷が電波反射に及ぼす影響の撥水材料による軽減効果」、電子情報通信学会論文誌、Ｃ−ＩＩ、ｖｏｌ．Ｊ８１−Ｃ−ＩＩ、ｎｏ．３、ｐｐ．３４２−２４８、１９９８年。
【発明の概要】
【発明が解決しようとする課題】
【０００６】
上述したように、ケーブルの表面を撥水材料で構成すれば、着雪を抑制できることが期待される。しかしながら、積雪地帯で現在用いられている全ての送電線や信号線などのケーブルの被覆材を、撥水材料に交換することは、コストのことなどを含めて現実的ではない。現実的には、現在用いられている被覆材の表面に、撥水材料をさらに被覆することが考えられる。しかしながら、現在、ケーブルの表面を構成する材料には、主にポリエチレンなどが用いられており、これらの表面自由エネルギーが小さい材料の表面に、撥水材料の層を固定（密着）して形成することは、容易ではない。このように、ケーブルに対する着雪を抑制することが容易ではなく、着雪によるケーブルへの荷重負荷が問題となっていた。
【０００７】
本発明は、以上のような問題点を解消するためになされたものであり、着雪によるケーブルへの荷重負荷が抑制できるようにすることを目的とする。
【課題を解決するための手段】
【０００８】
本発明に係るケーブルカバーは、重力がかかる方向に対して６０°以下の角度の面のみから構成された外面を備えてケーブルの外周を取り囲むカバー部と、外面に形成された接触角が１５０°以上の撥水性を有する表面層とを備える。なお、カバー部の断面の重心より重力の方向に対して高い位置にケーブルが配置される状態とすればよい。
【発明の効果】
【０００９】
以上説明したことにより、本発明のケーブルカバーを用いることで、着雪によるケーブルへの荷重負荷が抑制できるようになるという優れた効果が得られる。
【図面の簡単な説明】
【００１０】
【図１】図１は、本発明の実施の形態におけるケーブルカバーの構成を示す斜視図である。
【図２】図２は、カバー部１０１の構成を示す断面図である。
【発明を実施するための形態】
【００１１】
以下、本発明の実施の形態について図を参照して説明する。図１は、本発明の実施の形態におけるケーブルカバーの構成を示す斜視図である。このケーブルカバーは、重力がかかる方向に対して６０°以下の角度の面のみから構成された外面を備えてケーブル１１０の外周を取り囲むカバー部１０１と、外面に形成された接触角が１５０°以上の撥水性を有する表面層１０２とを備える。また、本実施の形態において、ケーブルカバーは、カバー部１０１の内部に樹脂の発泡体からなる充填材１０３が充填され、中実構造とされている。
【００１２】
カバー部１０１は、例えば、アルミニウム合金や繊維強化プラスチック（Fiber Reinforced Plastics：ＦＲＰ）など、高い強度を有する軽量な材料から構成すればよい。表面層１０２は、例えば、非特許文献２に開示されているポリテトラフルオロエチレン（ＰＴＦＥ）とポリビニリデンフルオライド（ＰＶｄＦ）との複合材料から構成すればよい。充填材１０３は、例えば、発泡スチロールなどの軽い材料から構成し、ケーブル１１０に対して、所定値以上の荷重負荷が加わらないようにする。なお、ケーブル１１０は、送電線や通信線などである。
【００１３】
カバー部１０１は、図２の断面図に示すように、外面（外側面）と重力がかかる方向との角度θ１が、６０°以下となっている。この勾配とすることで、カバー部１０１の外面（表面層１０２の表面）と地表面とによる角度θ２は、３０°以上となる。非特許文献２の図８を用いた説明によれば、撥水剤材料を塗布した表面では、地表面に対する勾配が３０°以上であれば、着雪量がほぼ０となる。従って、本実施の形態によれば、表面層１０２が形成されているカバー部１０１の外面は、着雪が抑制されるようになり、着雪によるケーブルへの荷重負荷が抑制できるようになる。
【００１４】
ところで、ケーブル１１０を覆って架設されるカバー部１０１は、ケーブル１１０の延在方向を中心線として回転しやすい状態である。このため、ケーブル１１０の延在方向を中心線としてカバー部１０１が回転し、重力がかかる方向に対する外面の角度が６０°を超えてしまう場合が発生する。この状態では、前述したような着雪抑制効果が得られなくなる。
【００１５】
この回転による問題を抑制するためには、カバー部１０１の断面の重心より重力の方向に対して高い位置にケーブル１１０が配置される状態とすればよい。言い換えると、ケーブル１１０が配置される箇所が、大地の側から見て、カバー部１０１の断面の重心より高い位置となっていればよい。このようにすることで、カバー部１０１の重心が、回転中心となる位置より大地の側となり、ケーブル１１０の延在方向を中心線としたカバー部１０１の回転が抑制できるようになる。
【００１６】
本実施の形態では、充填材１０３を充填しているが、充填材１０３に形成するケーブル配置部を、カバー部１０１の断面の重心より重力の方向に対して高い位置に形成すればよい。また、充填材１０３を用いずに中空の状態としてケーブル１１０を覆う場合、例えば、カバー部１０１の頂点部内側にケーブル１１０が接触する状態とすればよい。
【００１７】
なお、本発明は以上に説明した実施の形態に限定されるものではなく、本発明の技術的思想内で、当分野において通常の知識を有する者により、多くの変形および組み合わせが実施可能であることは明白である。例えば、カバー部の大地側の下部は、開放状態としてもよく、また、閉じた状態としてもよい。また、カバー部は、対象とするケーブルを覆うことが可能な状態であればよく、カバー部の断面視の各部の寸法は、ケーブルの径に対応させて適宜に設定すればよい。また、表面層は、ＰＴＦＥとＰＶｄＦとの複合材料に限るものではなく、接触角が１５０°以上の撥水性を有する他のフッ素樹脂であってもよい。
【符号の説明】
【００１８】
１０１…カバー部、１０２…表面層、１０３…充填材、１１０…ケーブル。
【図１】
2013150384.tif 000003
【図２】
2013150384.tif 000004